(57)【要約】【課題】排水立管と垂直管（Ｈｓ部分）を一体化させ、既存の立管で使用されている鋳鉄管と直接接続できるようにした排水立管であり、工場で一体化がなされるため、施工現場ではその作業が全く不要であり、取扱の容易さ、材料の省力化、スペースの省力化が達成できることとなった。【解決手段】サイフォン排水システムにおける垂直管と立管との一体型立管であって、排水立管に添って数本の垂直管が配設され、当該垂直管の下端は排水立管に接続され、垂直管の上端は横引き管との接続部位としたことを特徴とする垂直管一体型立管。１ａ‥排水立管、５‥垂直管、５ａ‥垂直管の下端、５ｂ‥垂直管の上端、６‥合流部、７‥カバー材、８‥差し込み口。【選択図】図２
2007056459.tif 000002
【特許請求の範囲】
【請求項１】
サイフォン排水システムにおける垂直管と立管との一体型立管であって、排水立管に添って数本の垂直管が配設され、当該垂直管の下端は排水立管に接続され、垂直管の上端は横引き管との接続部位としたことを特徴とする垂直管一体型立管。
【請求項２】
前記排水立管と垂直管とは一体成形された請求項１記載の垂直管一体型立管。
【請求項３】
前記排水立管と垂直管とは当初別体とされ、その後組み立てによって一体とされた請求項１記載の垂直管一体型立管。
【請求項４】
前記垂直管の長さが５０ｃｍ以上である請求項１乃至３いずれか１記載の垂直管一体型立管。
【請求項５】
前記垂直管の上端に横向きの差し込み口を備えた請求項１乃至４いずれか１記載の垂直管一体型立管。
【請求項６】
前記差し込み口が左右に回転可能とした請求項５記載の垂直管一体型立管。
【請求項７】
前記立管と垂直管とが鋳鉄にて一体成形された請求項１乃至６いずれか１記載の垂直管一体型立管。
【請求項８】
排水立管の外周にソケット備え、当該ソケット内に垂直管を差し込んで一体化した請求項１乃至６いずれか１記載の垂直管一体型立管。
【請求項９】
排水立管の一部に、請求項１乃至８いずれか１記載の垂直管一体型立管を直列に接続したことを特徴とする立管施工方法。
【請求項１０】
既存の立管の一部を取り外し、当該立管を請求項１乃至８いずれか１記載の垂直管一体型立管の上下に接続した請求項９記載の立管施工方法。
【発明の詳細な説明】
【技術分野】
【０００１】
本発明は、サイフォン排水システムにおける立管及び横引き管からの垂直管との合流を簡素化した一体型の立管に関するものである。
【背景技術】
【０００２】
近年、高層マンションや戸建て住宅の排水システムとしてサイフォン排水システムが開発されている。これは排水立管、水回り器具からの横引き管及び垂直管、両管の合流部からなっており、横引き管は無勾配に配設され、合流部は好ましくは一階下の階に設置されるものである。横引き管と合流部との間の水頭（落差）Ｈｓを利用し、横引き管内の水にサイフォン力を付与して排水するシステムである。かかる排水システムにあっては、横引き管は比較的小口径のパイプを用い、基本的に合流部に達するまでに他の管とは合流することはなく、各水回り器具からの横引き管がそのまま合流部に間で引き回される。
【０００３】
しかるに、サイフォン排水システムは上記のように一器具一排水のため、水頭Ｈｓ部分において小口径の垂直管が水回り器具の数だけあり、排水立管やこれらを収納するパイプ収納スペース（ＰＳ）での納まりが悪かった。即ち、ＰＳ内でのこれらの小口管が多数あるため見た目が悪くなり、更には、垂直管の夫々を固定しようとすると、固定金具が大量に必要となり、コスト面でも嵩むものであった。又、垂直管の固定にあってもＰＳの中間地点であり、作業がわずらわしかった。
【０００４】
これらの欠点を解消すべく特許文献１では排水立管の周囲に横引き管からの垂直管を配設する考えがある。これによりＰＳ内の納まりはよくなったが、垂直管部分の径が大きく、ＰＳ全体を大きくする必要があった。
【０００５】
【特許文献１】特開２００３−２０１７２７号公報
【０００６】
又、垂直管部分をひとまとめに束ねて一体とする思想もあるが、これはＰＳ内で立管が２本あるような構造となり、ＰＳ全体を大きくする必要があった。更には、通常の立管合流を施工した上で、垂直管部分も施工するので、コスト面及び作業性もよくなかった。
【発明の開示】
【発明が解決しようとする課題】
【０００７】
本発明は排水立管とこれに合流させる垂直管との関係を特殊な構造として一体化し、上記のような従来技術の欠点を解決しようとするものである。
【課題を解決するための手段】
【０００８】
第１発明の要旨は、サイフォン排水システムにおける垂直管と立管との一体型立管であって、排水立管に添って数本の垂直管が配設され、当該垂直管の下端は排水立管に接続され、垂直管の上端は横引き管との接続部位とした垂直管一体型立管に係るものである。
【０００９】
具体的には、排水立管と垂直管とは一体として成形され、或いは、排水立管と垂直管とは当初別体とされ、その後組み立てによって一体とされた垂直管一体型立管である。
【００１０】
第２発明の要旨は、排水立管の一部に、上記第１発明の垂直管一体型立管を直列に接続したことを特徴とする立管施工方法である。
【００１１】
具体的には、既存の立管の一部を取り外し、上記第１発明の垂直管一体型立管を当該立管の上下に接続した立管施工方法である。
【発明の効果】
【００１２】
第１発明について言えば、排水立管と垂直管（Ｈｓ部分）を一体化させ、既存の立管で使用されている鋳鉄管と直接接続できるようにした排水立管であり、工場で一体化がなされるため、施工現場ではその作業が全く不要であり、取扱の容易さ、材料の省力化、スペースの省力化が達成できることとなったものである。勿論、施工現場で組み立てることができることは言うまでもない。
【発明を実施するための最良の形態】
【００１３】
本発明は、サイフォン排水システムにおける排水立管と、長さが５０ｃｍ以上、好ましくは１００ｃｍ以上、更に好ましくは１５０ｃｍ以上の垂直管及び合流部とを一体化した垂直管一体型立管であって、当初から立管、垂直管、合流部が全て一体の形式であっても、当初は別体あるが、組み立てにより一体化した形式のものであってもよい。
【００１４】
垂直管一体型立管が、好ましくは立管と垂直管とが例えば鋳鉄にて一体成形されたものであり、場合によっては、排水立管の外周にソケット備え、このソケット内に垂直管を差し込んで一体化した一体型立管であってもよい。この場合の垂直管は、金属管であってもよいが、硬質或いは軟質の樹脂管であってもよい。立管としては、一般的な排水立管と接続できる形状が好ましく、又、防火貫通部に関しての条件がクリアできる素材、例えば鋳鉄等が望ましい。
【００１５】
本発明の垂直管一体型立管は、垂直管が立管の周囲に配置されている場合もあるが、立管の一方側に偏って配置される場合もある。そして、これらは全体として周囲をカバー材にて囲まれているものが好ましい形態である。
【００１６】
垂直管の上端は横引き管に接続されるが、接続をスラブ面で実施することを可能にしたもので、差し込み容易なように予め横向きの差し込み口を備えたものがよく、しかもこの差し込み口が左右に動く形態のものが施工作業上好ましい形態となる。
【実施例】
【００１７】
以下、主として第１発明をもって更に詳細に説明する。図１は本発明の垂直管一体型立管Ａを用いたサイフォン排水システムの全体図である、符号１は排水立管、２は水回り器具、３は水回り器具２に接続された管径２０Ａのポリブテン樹脂よりなる横引き管であり、これはスラブ４上を無勾配で配設されている。垂直管一体型立管Ａは、立管１の一部に接続した立管であり、この立管Ａは後述する垂直管と一体とされ、横引き管３がこれに接続され立管１内に排水されることとなる。
【００１８】
図２は垂直管一体型立管Ａの第１実施例の一部切断側面図であり、図３はａ−ａ線での断面図である。即ち、排水立管１ａに添い、その周囲に数本の垂直管５が配設され、当該垂直管５の下端５ａは排水立管１ａに合流部６にて接続され、一方、垂直管５の上端５ｂは横引き管３との接続部位としたものであり、これら全体が鋳鉄にて一体に形成したものである。かかる垂直管５の外周はこれ又一体とされたカバー材７にて覆われた例である。尚、垂直管５の長さはサイフォンの発生をもたらす水頭Ｈｓを構成するものである。
【００１９】
図例にあっては、垂直管５の上端５ｂに横向きの差し込み口８を取り付けたもので、これを横引き管３の配設方向に向けてその向きを変えることを目的としたものである。
【００２０】
この垂直管一体型立管Ａは、ＰＳが住戸の中央にある場合に用いられるのがよく、排水立管１ａに向けて、様々な方向から排水が流れこむような方式のサイフォン排水システムに好んで用いられる。
【００２１】
この垂直管一体型立管Ａは、排水立管１ａ及び垂直管５、更にはカバー材７をも含めて全て一体されているため、その取扱いは簡便であり、立管１との接続の際、更には横引き管３との接続にあっても作業時の簡便さは言うまでもない。
【００２２】
図４は垂直管一体型立管Ａの第２実施例の正面図である。このように、排水立管１ａに対して垂直管５が偏心して配設されることも可能である。この垂直一体型立管Ａは、ＰＳが住戸の片隅にある場合や、例えば、サニタリーゾーン部分の排水のみを集める場合に好んで用いられる。
【００２３】
図５は垂直管一体型立管Ａの第３実施例の一部切断側面図であり、図６はｂ−ｂ線での断面図である。排水立管１ａ及び合流部６は鋳鉄にて一体に形成されたものであり、排水立管１ａと垂直管５とは当初別体とされ、組み立てによって一体とされた例である。即ち、樹脂製の垂直管ｐを装着して垂直管５としたものである。この例ではカバー材７も又樹脂製の材料が用いられている。尚、９は排水立管１ａの上下部に嵌め込まれたソケットであり、垂直管ｐは合流部６側の接続口６ａ及びこのソケット９に垂直に嵌め込まれて垂直管５としたものである。この例では垂直管ｐは例えば塩ビ管であり、上端に塩ビ製のエルボ管ｐ１ に接続されて用いられたものである。
【００２４】
次に、第２発明について述べれば、図１における立管１は既存の排水システムにて敷設されたものであり、その一部を取り外し、ここに新たに垂直管一体型立管Ａを設置したものである。本発明はこのように既存の立管をそのまま利用してサイフォン排水システムの立管に変更可能となったもので、しかも設置の際に垂直管の敷設作業は不要となったものである。
【産業上の利用可能性】
【００２５】
第１発明の垂直管一体型立管は、サイフォン排水システムにおける排水立管と横引き管との接続に広く用いられるもので、排水立管及び垂直管、更にはカバー材をも含めて基本的に製造工場で一体化がなされるため、施工現場ではその作業が不要で、その取扱いは簡便であり、立管との接続の際、更には横引き管との接続にあっても作業時の簡便さは言うまでもない。勿論、垂直一体型立管であるため、ＰＳ内での納まりもよくなることは言うまでもない。
【００２６】
第２発明の垂直管一体型立管の敷設方法にあっては、既存の立管をそのまま利用してサイフォン排水システムの立管に変更可能となったもので、設置の際の垂直管の敷設作業は不要となったものである。
【図面の簡単な説明】
【００２７】
【図１】図１は本発明の垂直管一体型立管Ａを用いたサイフォン排水システムの全体図である。
【図２】図２は本発明の垂直管一体型立管Ａの第１実施例の一部切断側面図である。
【図３】図３は図２のａ−ａ線での断面図である。
【図４】図４は垂直管一体型立管Ａの第２実施例の正面図である。
【図５】図５は本発明の垂直管一体型立管Ａの第３実施例の一部切断側面図である。
【図６】図６は図５のｂ−ｂ線での断面図である。
【符号の説明】
【００２８】
１、１ａ‥排水立管、
２‥水回り器具、
３‥横引き管、
４‥スラブ、
５‥垂直管、
５ａ‥垂直管の下端、
６‥合流部、
５ｂ‥垂直管の上端、
７‥カバー材、
８‥差し込み口、
９‥ソケット、
Ａ‥垂直管一体型立管、
ｐ‥垂直管、
ｐ１ ‥エルボ管。
【図１】
2007056459.tif 000003
【図２】
2007056459.tif 000004
【図３】
2007056459.tif 000005
【図４】
2007056459.tif 000006
【図５】
2007056459.tif 000007
【図６】
2007056459.tif 000008